(57)【特許請求の範囲】
【請求項１】
第１の基地局が、前記第１の基地局によってサポートされるクローズド加入者グループ識別子（ＣＳＧ  ＩＤ）が第２の基地局によってサポートされるＣＳＧ  ＩＤと同じであるかどうかに従って、ユーザ装置（ＵＥ）を前記第１の基地局から前記第２の基地局にハンドオーバする手順を開始することが許可されるかどうかを判定するように、前記第２の基地局によってサポートされるＣＳＧ  ＩＤを、前記第１の基地局に、前記第２の基地局によって送信することと、
前記第１の基地局が前記ＵＥを前記第１の基地局から前記第２の基地局にハンドオーバする前記手順を開始した場合、前記第１の基地局によって送信された前記第１の基地局内での前記ＵＥのＣＳＧメンバーシップ情報を、前記第２の基地局によって受信し、前記第１の基地局内での前記ＵＥの前記ＣＳＧメンバーシップ情報に従って、リソースを前記ＵＥに割り当てることと、
を含む、リソースを割り当てる方法。
【請求項２】
前記第２の基地局によってサポートされる前記ＣＳＧ  ＩＤを、前記第１の基地局に、前記第２の基地局によって送信することは、
Ｘ２インタフェース確立応答メッセージを、前記第１の基地局に、前記第２の基地局によって送信することを含み、前記Ｘ２インタフェース確立応答メッセージは、前記第２の基地局によってサポートされる前記ＣＳＧ  ＩＤを運ぶ、
請求項１に記載の方法。
【請求項３】
前記第２の基地局によってサポートされる前記ＣＳＧ  ＩＤを、前記第１の基地局に、前記第２の基地局によって送信することは、
Ｘ２インタフェース確立要求メッセージを、前記第１の基地局に、前記第２の基地局によって送信することを含み、前記Ｘ２インタフェース確立要求メッセージは、前記第２の基地局によってサポートされる前記ＣＳＧ  ＩＤを運ぶ、
請求項１に記載の方法。
【請求項４】
前記Ｘ２インタフェース確立応答メッセージを、前記第２の基地局によって送信することの前に、前記方法は、
前記第１の基地局によって送信されたＸ２インタフェース確立要求メッセージを、前記第２の基地局によって受信することを更に含み、前記Ｘ２インタフェース確立要求メッセージは、前記第１の基地局によってサポートされる前記ＣＳＧ  ＩＤを運び、これにより、前記第２の基地局は、前記第２の基地局によってサポートされる前記ＣＳＧ  ＩＤが前記第１の基地局によってサポートされる前記ＣＳＧ  ＩＤと同じであるかどうかに従って、前記ＵＥを前記第２の基地局から前記第１の基地局にハンドオーバする手順を開始することが許可されるかどうかを判定することが可能になる、
請求項２に記載の方法。
【請求項５】
前記第１の基地局によって送信された前記第１の基地局内での前記ＵＥの前記ＣＳＧメンバーシップ情報を、前記第２の基地局によって受信することは、
前記第１の基地局によって送信されたハンドオーバ要求メッセージを、前記第２の基地局によって受信することを含み、前記ハンドオーバ要求メッセージは、前記第１の基地局内での前記ＵＥの前記ＣＳＧメンバーシップ情報を運ぶ、
請求項１〜４のいずれか１項に記載の方法。
【請求項６】
第２の基地局によってサポートされ、かつ、前記第２の基地局によって送信されたクローズド加入者グループ識別子（ＣＳＧ  ＩＤ）を、第１の基地局によって受信することと、
前記第１の基地局によってサポートされるＣＳＧ  ＩＤが前記第２の基地局によってサポートされる前記ＣＳＧ  ＩＤと同じであるかどうかに従って、ユーザ装置（ＵＥ）を前記第１の基地局から前記第２の基地局にハンドオーバする手順を開始することが許可されるかどうかを、前記第１の基地局によって判定することと、
前記第１の基地局が、前記ＵＥを前記第１の基地局から前記第２の基地局にハンドオーバする前記手順を開始することを決定した場合、前記第２の基地局が、前記第１の基地局内での前記ＵＥの前記ＣＳＧメンバーシップ情報に従って、リソースを前記ＵＥに割り当てるように、前記第１の基地局内での前記ＵＥのＣＳＧメンバーシップ情報を、前記第１の基地局によって送信することと、
を含む、リソースを割り当てる方法。
【請求項７】
前記第２の基地局によってサポートされ、かつ、前記第２の基地局によって送信された前記ＣＳＧ  ＩＤを、前記第１の基地局によって受信することは、
前記第２の基地局によって送信されたＸ２インタフェース確立要求メッセージを、前記第１の基地局によって受信することを含み、前記Ｘ２インタフェース確立要求メッセージは、前記第２の基地局によってサポートされる前記ＣＳＧ  ＩＤを運ぶ、
請求項６に記載の方法。
【請求項８】
前記第２の基地局によってサポートされ、かつ、前記第２の基地局によって送信された前記ＣＳＧ  ＩＤを、前記第１の基地局によって受信することは、
前記第２の基地局によって送信されたＸ２インタフェース確立応答メッセージを、前記第１の基地局によって受信することを含み、前記Ｘ２インタフェース確立応答メッセージは、前記第２の基地局によってサポートされる前記ＣＳＧ  ＩＤを運び、これにより、前記第１の基地局は、前記第１の基地局によってサポートされる前記ＣＳＧ  ＩＤが前記第２の基地局によってサポートされる前記ＣＳＧ  ＩＤと同じであるかどうかに従って、前記ＵＥを前記第２の基地局から前記第１の基地局にハンドオーバする手順を開始することを許可されるかどうかを判定することが可能になる、
請求項６に記載の方法。
【請求項９】
前記Ｘ２インタフェース確立応答メッセージを、前記第１の基地局によって受信することの前に、前記方法は、
ハンドオーバ要求メッセージを、前記第２の基地局に、前記第１の基地局によって送信することを更に含み、前記ハンドオーバ要求メッセージは、前記第１の基地局内での前記ＵＥの前記ＣＳＧメンバーシップ情報を運ぶ、
請求項６〜８のいずれか１項に記載の方法。
【請求項１０】
ローカル基地局によってサポートされるクローズド加入者グループ識別子（ＣＳＧ  ＩＤ）を第１の基地局に送信するように構成されたユニットと、
前記第１の基地局がユーザ装置（ＵＥ）を前記第１の基地局から前記ローカル基地局にハンドオーバする手順を開始した場合、前記第１の基地局によって送信された前記第１の基地局内での前記ＵＥのＣＳＧメンバーシップ情報を受信するように構成されたユニットと、
前記第１の基地局内での前記ＵＥの前記ＣＳＧメンバーシップ情報に従って、リソースを前記ＵＥに割り当てるように構成されたユニットと、
を備える、リソースを割り当てる装置。
【請求項１１】
前記第１の基地局によって送信された前記第１の基地局内での前記ＵＥの前記ＣＳＧメンバーシップ情報を受信するように構成された前記ユニットは、前記第１の基地局によって送信されたＸ２インタフェース確立要求メッセージを受信するように更に構成され、前記Ｘ２インタフェース確立要求メッセージは、前記第１の基地局によってサポートされるＣＳＧ  ＩＤを運び、
前記装置は、
前記ローカル基地局によってサポートされる前記ＣＳＧ  ＩＤが前記第１の基地局によってサポートされる前記ＣＳＧ  ＩＤと同じであるかどうかに従って、前記ＵＥを前記ローカル基地局から前記第１の基地局にハンドオーバする手順を開始することが許可されるかどうかを判定するように構成されたユニットを更に備える、
請求項１０に記載の装置。
【請求項１２】
前記ローカル基地局によってサポートされる前記クローズド加入者グループ識別子ＣＳＧ  ＩＤを前記第１の基地局に送信するように構成された前記ユニットは、
第２の基地局によってサポートされる前記ＣＳＧ  ＩＤを運ぶＸ２インタフェース確立要求メッセージを前記第１の基地局に送信するように更に構成されるか、又は、
前記第２の基地局によってサポートされる前記ＣＳＧ  ＩＤを運ぶＸ２インタフェース確立応答メッセージを前記第１の基地局に送信するように更に構成される、
請求項１０に記載の装置。
【請求項１３】
前記第１の基地局によって送信された前記第１の基地局内での前記ＵＥの前記ＣＳＧメンバーシップ情報を受信するように構成された前記ユニットは、
前記第１の基地局によって送信されたハンドオーバ要求メッセージを受信するように更に構成され、前記ハンドオーバ要求メッセージは、前記第１の基地局内での前記ＵＥの前記ＣＳＧメンバーシップ情報を運ぶ、
請求項１０〜１２のいずれか１項に記載の装置。
【請求項１４】
第２の基地局によってサポートされ、かつ、前記第２の基地局によって送信されたクローズド加入者グループ識別子（ＣＳＧ  ＩＤ）を受信するように構成されたユニットと、
ローカル基地局によってサポートされるＣＳＧ  ＩＤが前記第２の基地局によってサポートされる前記ＣＳＧ  ＩＤと同じであるかどうかに従って、ユーザ装置（ＵＥ）をローカル基地局から前記第２の基地局にハンドオーバする手順を開始することが許可されるかどうかを判定するように構成されたユニットと、
前記ＵＥを前記ローカル基地局から前記第２の基地局にハンドオーバする前記手順が開始されることが決定された場合、前記第２の基地局が、前記ローカル基地局内での前記ＵＥの前記ＣＳＧメンバーシップ情報に従って、リソースを前記ＵＥに割り当てるように、前記ローカル基地局内での前記ＵＥのＣＳＧメンバーシップ情報を前記ローカル基地局が送信するように構成されるユニットと、
を備える、リソースを割り当てる装置。
【請求項１５】
前記第２の基地局によってサポートされ、かつ、前記第２の基地局によって送信された前記ＣＳＧ  ＩＤを受信するように構成された前記ユニットは、
前記第２の基地局によって送信されたＸ２インタフェース確立要求メッセージを受信するように更に構成され、前記Ｘ２インタフェース確立要求メッセージは、前記第２の基地局によってサポートされる前記ＣＳＧ  ＩＤを運ぶ、
請求項１４に記載の装置。
【請求項１６】
前記第２の基地局によってサポートされ、かつ、前記第２の基地局によって送信された前記ＣＳＧ  ＩＤを受信するように構成された前記ユニットは、
前記第２の基地局によって送信されたＸ２インタフェース確立応答メッセージを受信するように更に構成され、前記Ｘ２インタフェース確立応答メッセージは、前記第２の基地局によってサポートされる前記ＣＳＧ  ＩＤを運び、
前記装置は、
前記ローカル基地局によってサポートされる前記ＣＳＧ  ＩＤが前記第２の基地局によってサポートされる前記ＣＳＧ  ＩＤと同じであるかどうかに従って、前記ＵＥを前記第２の基地局から前記ローカル基地局にハンドオーバする手順を開始することが許可されるかどうかを判定するように構成されたユニットを更に備える、
請求項１４に記載の装置。
【請求項１７】
前記第１の基地局内での前記ＵＥの前記ＣＳＧメンバーシップ情報を受信するように構成された前記ユニットは、
前記第１の基地局内での前記ＵＥの前記ＣＳＧメンバーシップ情報を運ぶハンドオーバ要求メッセージを受信するように更に構成される、
請求項１４に記載の装置。
【請求項１８】
第１の基地局及び第２の基地局のうちの一方によって、他方の基地局によってサポートされるクローズド加入者グループ識別子（ＣＳＧ  ＩＤ）と、前記第１の基地局内でのユーザ装置（ＵＥ）のＣＳＧメンバーシップ情報とを取得することと、
一方の基地局によって取得された前記ＣＳＧ  ＩＤが、ローカル基地局によってサポートされるＣＳＧ  ＩＤと同じである場合、前記一方の基地局によって取得された前記第１の基地局内での前記ＵＥのＣＳＧメンバーシップ情報と前記他方の基地局のアクセスモードとに従って、前記ＵＥに対するアクセス制御を実行することと、
を含む、基地局間でのユーザのアクセス制御ハンドオーバの方法。
【請求項１９】
前記第１の基地局及び前記第２の基地局のうちの前記一方によって、前記他方の基地局によってサポートされる前記ＣＳＧ  ＩＤと前記第１の基地局内での前記ＵＥの前記ＣＳＧメンバーシップ情報とを取得することは、
前記第１の基地局によって送信されたハンドオーバ要求メッセージを、前記第２の基地局によって取得することを含み、前記ハンドオーバ要求メッセージは、前記第１の基地局によってサポートされるＣＳＧ  ＩＤと、前記第１の基地局内での前記ＵＥの前記ＣＳＧメンバーシップ情報とを運ぶ、
請求項１８に記載の方法。
【請求項２０】
前記第１の基地局及び前記第２の基地局のうちの前記一方によって、前記他方によってサポートされる前記ＣＳＧ  ＩＤと前記第１の基地局内での前記ＵＥの前記ＣＳＧメンバーシップ情報とを取得することは、
前記第１の基地局によってサポートされ、かつ、前記第１の基地局によって送信されたＸ２インタフェース確立要求メッセージ又はＸ２インタフェース確立応答メッセージ内で運ばれるＣＳＧ  ＩＤを、前記第２の基地局によって取得することと、
前記第１の基地局によって送信されたハンドオーバ要求メッセージ内で運ばれる前記第１の基地局内での前記ＵＥの前記ＣＳＧメンバーシップ情報を、前記第２の基地局によって取得することと、
を含む、請求項１８に記載の方法。
【請求項２１】
前記第１の基地局及び前記第２の基地局のうちの前記一方によって、前記他方によってサポートされる前記ＣＳＧ  ＩＤと前記第１の基地局内での前記ＵＥの前記ＣＳＧメンバーシップ情報とを取得することは、
前記第２の基地局によってサポートされ、かつ、前記第２の基地局によって送信されたＸ２インタフェース確立要求メッセージ又はＸ２インタフェース確立応答メッセージ内で運ばれるＣＳＧ  ＩＤを、前記第１の基地局によって取得することと、
前記ローカル基地局からの前記ローカル基地局内での前記ＵＥの前記ＣＳＧメンバーシップ情報を、前記第１の基地局によって取得することと、
を含む、請求項１８に記載の方法。
【請求項２２】
前記第１の基地局及び前記第２の基地局のうちの前記一方によって、前記他方の基地局によってサポートされる前記ＣＳＧ  ＩＤと前記第１の基地局内での前記ＵＥの前記ＣＳＧメンバーシップ情報とを取得することの前に、前記方法は、
前記第２の基地局及び前記第１の基地局が前記Ｘ２プロキシ機能エンティティを介して相互に通信するように、基地局情報相互作用をＸ２プロキシ機能エンティティを介して前記第２の基地局及び前記第１の基地局によって実行することを更に含み、
前記基地局情報は、基地局と前記Ｘ２プロキシ機能エンティティとの間のインタフェース関係とを少なくとも含む、
請求項１８に記載の方法。
【請求項２３】
前記一方の基地局によって取得された前記第１の基地局内での前記ＵＥのＣＳＧメンバーシップ情報と前記他方の基地局の前記アクセスモードとに従って、前記ＵＥに対する前記アクセス制御を実行することは、
前記第２の基地局のアクセスモードがクローズドＣＳＧモードにあり、かつ、前記第１の基地局内での前記ＵＥの前記ＣＳＧメンバーシップ情報が、前記ＵＥがＣＳＧセルに属するというものである場合、前記第１の基地局によって、前記ＵＥを前記第２の基地局にハンドオーバすることか、又は、
前記第２の基地局の前記アクセスモードがクローズドＣＳＧモードにあり、かつ、前記第１の基地局内での前記ＵＥの前記ＣＳＧメンバーシップ情報が、前記ＵＥがＣＳＧセルに属さないというものである場合、前記第１の基地局によって、前記ＵＥを前記第２の基地局にハンドオーバしないこと
を含む、請求項１８に記載の方法。
【請求項２４】
基地局であって、
第１の基地局及び第２の基地局のうちの一方であり、
前記第１の基地局及び前記第２の基地局のうちの他方の基地局によってサポートされるクローズド加入者グループ識別子（ＣＳＧ  ＩＤ）と、前記第１の基地局内でのユーザ装置（ＵＥ）のＣＳＧメンバーシップ情報とを取得するように構成された取得モジュールと、
前記取得モジュールによって取得された前記ＣＳＧ  ＩＤがローカル基地局によってサポートされるＣＳＧ  ＩＤと同じである場合、前記取得モジュールによって取得された前記第１の基地局内での前記ＵＥの前記ＣＳＧメンバーシップ情報と前記他方の基地局のアクセスモードとに従って、前記ＵＥに対するアクセス制御を実行するように構成された処理モジュールと、
を備える、基地局。
【請求項２５】
前記基地局は、前記第２の基地局であり、前記取得モジュールは、前記第１の基地局によって送信されたハンドオーバ要求メッセージ内で運ばれる、前記第１の基地局によってサポートされるＣＳＧ  ＩＤと、前記第１の基地局内での前記ＵＥの前記ＣＳＧメンバーシップ情報とを取得するように更に構成されるか、又は、
前記基地局は、前記第２の基地局であり、前記取得モジュールは、前記第１の基地局によって送信されたＸ２インタフェース確立要求又はＸ２インタフェース確立応答メッセージ内で運ばれる前記第１の基地局によってサポートされるＣＳＧ  ＩＤと、前記第１の基地局によって送信されたハンドオーバ要求メッセージ内で運ばれる前記第１の基地局内での前記ＵＥの前記ＣＳＧメンバーシップ情報とを取得するように更に構成されるか、又は、
前記基地局は、前記第１の基地局であり、前記取得モジュールは、前記第２の基地局によって送信されたＸ２インタフェース確立要求又はＸ２インタフェース確立応答メッセージ内で運ばれる前記第２の基地局によってサポートされるＣＳＧ  ＩＤと、前記ローカル基地局からの前記ローカル基地局内での前記ＵＥの前記ＣＳＧメンバーシップ情報とを取得するように更に構成される、
請求項２４に記載の基地局。
【請求項２６】
前記基地局は、前記第１の基地局であり、前記取得モジュールは、前記第２の基地局によって送信されたＸ２インタフェース確立要求メッセージ又はＸ２インタフェース確立応答メッセージ内で運ばれる前記第２の基地局のアクセスモードを取得するように更に構成される、
請求項２４に記載の基地局。
【請求項２７】
前記基地局は、前記第２の基地局であり、
前記基地局は、
前記取得モジュールが、前記他方の基地局によってサポートされる前記クローズド加入者グループ識別子ＣＳＧ  ＩＤと前記第１の基地局内での前記ユーザ装置ＵＥの前記ＣＳＧメンバーシップ情報とを取得する前に、前記第１の基地局と前記第２の基地局とが、前記Ｘ２プロキシ機能エンティティを介して相互に通信するように、前記第１の基地局との基地局情報相互作用をＸ２プロキシ機能エンティティを介して実行するように構成された相互作用モジュールを更に備え、前記基地局情報は、前記基地局と前記Ｘ２プロキシ機能エンティティとの間のインタフェース関係を少なくとも含む、
請求項２４に記載の基地局。
【請求項２８】
第１の基地局と第２の基地局とを備え、
前記第１の基地局及び前記第２の基地局のうちの一方が、他方の基地局によってサポートされるクローズド加入者グループ識別子（ＣＳＧ  ＩＤ）と前記第１の基地局内でのユーザ装置（ＵＥ）のＣＳＧメンバーシップ情報とを取得し、取得されたＣＳＧ  ＩＤがローカル基地局によってサポートされるＣＳＧ  ＩＤと同じである場合、一方の基地局は、取得された前記第１の基地局内での前記ＵＥのＣＳＧメンバーシップ情報と前記他方の基地局のアクセスモードとに従って、前記ＵＥに対するアクセス制御を実行する、
通信システム。
【請求項２９】
Ｘ２プロキシ機能エンティティを更に備え、
前記第１の基地局及び前記第２の基地局のうちの前記一方が、前記他方の基地局によってサポートされる前記ＣＳＧ  ＩＤと前記第１の基地局内での前記ＵＥの前記ＣＳＧメンバーシップ情報とを取得する前に、２つの基地局が基地局情報相互作用を前記Ｘ２プロキシ機能エンティティを介して実行し、これにより、前記２つの基地局が前記Ｘ２プロキシ機能エンティティを介して相互に通信するようになり、前記基地局情報は、前記基地局と前記Ｘ２プロキシ機能エンティティとの間のインタフェース関係を少なくとも含む、
請求項２８に記載のシステム。
【請求項３０】
コンピュータにより実行されると、コンピュータに、請求項１〜９及び１８〜２３のいずれか１項に記載の方法を実行させるコンピュータプログラムコードを含むコンピュータプログラム。
【発明の詳細な説明】
【技術分野】
【０００１】
本発明は、モバイル通信技術の分野に関し、特に、基地局間でのユーザのアクセス制御ハンドオーバの方法、装置、及びシステムに関する。
【背景技術】
【０００２】
ホーム基地局（Ｈｏｍｅ  ｅＮｏｄＢ、ＨｅＮＢ）は、基地局ｅＮｏｄＢの一種であり、家庭、グループ、会社、又は学校などの場所において使用するために、専用リソースとして配備される。ホーム基地局は、家庭のメンバー又はグループメンバーのアクセスを、クローズド加入者グループ（Ｃｌｏｓｅｄ  Ｓｕｂｓｃｒｉｂｅｒ  Ｇｒｏｕｐ、ＣＳＧ）を介して制御する。ＣＳＧセルは、クローズドアクセスモードのＣＳＧセル、及び、ハイブリッドアクセスモードのＣＳＧセルを含む。クローズドアクセスモードのＣＳＧセルについては、ユーザが、ＣＳＧに加入した場合、又は、ＣＳＧ管理者によってＣＳＧに追加された場合、ユーザは、ＣＳＧセル内に正常に存在して、サービスを申し込むことを許可され、ハイブリッドアクセスモードのＣＳＧセルについては、ＣＳＧに属さないユーザは、ＣＳＧセル内でサービスを開始することができない。ＣＳＧに属するユーザのみでなく、ＣＳＧに属さないユーザも、アクセスすることが許可される。ハイブリッドアクセスモードのＣＳＧセルでは、ホーム基地局（Ｈｏｍｅ  ＮｏｄｅＢ、ＨｅＮＢ）は、ＣＳＧに属するユーザがリソースを使用する権利を優先的に保証する。
【発明の概要】
【発明が解決しようとする課題】
【０００３】
２つのマクロ基地局間にＸ２インタフェースが存在する場合、ユーザは、２つの基地局間でのハンドオーバを、Ｘ２インタフェースを介して実行してもよい。しかし、ＨＮＢについては、２つのＨＮＢ間でのＸ２インタフェース・ハンドオーバを実行する方法は、現在のところ存在しない。
【課題を解決するための手段】
【０００４】
本発明の実施形態は、ＣＳＧユーザの正常なサービスを保証する、基地局間でのユーザのアクセス制御ハンドオーバの方法及び装置を提供する。
【０００５】
一態様では、基地局間でのユーザのアクセス制御ハンドオーバの方法が提供され、これは、
第１の基地局及び第２の基地局のうちの一方によって、他方の基地局によってサポートされるクローズド加入者グループ識別子ＣＳＧ  ＩＤと、第１の基地局内でのユーザ装置ＵＥのＣＳＧメンバーシップ情報とを取得し、
一方の基地局によって取得されたＣＳＧ  ＩＤが、ローカル基地局によってサポートされるＣＳＧ  ＩＤと同じである場合、取得された第１の基地局内でのＵＥのＣＳＧメンバーシップ情報と他方の基地局のアクセスモードとに従って、一方の基地局によって、アクセス制御を実行することを含む。
【０００６】
別の態様では、基地局が提供される。この基地局は、第１の基地局及び第２の基地局のうちの一方である。この基地局は、
第１の基地局及び第２の基地局のうちの他方の基地局によってサポートされるクローズド加入者グループ識別子ＣＳＧ  ＩＤと、第１の基地局内でのユーザ装置ＵＥのＣＳＧメンバーシップ情報とを取得するように構成された取得モジュールと、
取得モジュールによって取得されたＣＳＧ  ＩＤが、ローカル基地局によってサポートされるＣＳＧ  ＩＤと同じである場合、取得モジュールによって取得された第１の基地局内でのＵＥのＣＳＧメンバーシップ情報と他方の基地局のアクセスモードとに従って、アクセス制御を実行するように構成された処理モジュールと、
を含む。
【０００７】
別の態様では、通信システムが提供され、これは、
第１の基地局と、第２の基地局とを含み、
２つの基地局のうちの一方が、他方の基地局によってサポートされるクローズド加入者グループ識別子ＣＳＧ  ＩＤと、第１の基地局内でのユーザ装置ＵＥのＣＳＧ識別情報とを取得し、取得されたＣＳＧ  ＩＤが、ローカル基地局によってサポートされるＣＳＧ  ＩＤと同じである場合、一方の基地局は、取得されたＵＥのＣＳＧ識別情報と他方の基地局のアクセスモードとに従って、アクセス制御を実行する。
【発明の効果】
【０００８】
本発明の実施形態では、第１の基地局及び第２の基地局のうちの一方が、他方の基地局によってサポートされるクローズド加入者グループ識別子ＣＳＧ  ＩＤと、第１の基地局内でのユーザ装置ＵＥのＣＳＧ識別情報とを取得し、一方の基地局によって取得されたＣＳＧ  ＩＤが、ローカル基地局によってサポートされるＣＳＧ  ＩＤと同じである場合、一方の基地局は、取得されたＵＥのＣＳＧ識別情報と他方の基地局のアクセスモードとに従って、アクセス制御を実行し、アクセス許可を有さないＵＥがＣＳＧセルにハンドオーバされることが防止され、これにより、ＣＳＧセル内でのＵＥの正常なサービスが保証される。
【０００９】
本発明の実施形態では、第２の基地局は、第２の基地局によってサポートされるＣＳＧ  ＩＤを第１の基地局に送信し、第２の基地局は、第１の基地局によって送信された第１の基地局内でのＵＥのＣＳＧメンバーシップ情報を受信し、第１の基地局内でのＵＥのＣＳＧメンバーシップ情報に従って、リソースをＵＥに割り当てて、これにより、リソースをＣＳＧセルに属するＵＥに優先的に割り当て、ＣＳＧセルに属するＵＥが、加入されたリソース（ｓｕｂｓｃｒｉｂｅｄ−ｔｏ  ｒｅｓｏｕｒｃｅｓ）を優先的に使用する能力が保証される。
【００１０】
本発明の実施形態における技術的解決法をより明確に説明するために、実施形態を説明するための添付の図面について、以下に簡単に紹介する。明らかに、以下の説明における添付の図面は、本発明のいくつかの実施形態にすぎず、当業者は、それらの添付の図面に従って、創造的な活動を行うことなく、その他の図面を更に導き出すことが可能である。
【図面の簡単な説明】
【００１１】
【図１】基地局間でのユーザのアクセス制御ハンドオーバの方法の実施形態の概略フローチャートである。
【図２】基地局の実施形態の概略構成図である。
【図２ａ】基地局の実施形態の別の概略構成図である。
【図３ａ】基地局間でのユーザのアクセス制御ハンドオーバの方法の別の実施形態の概略フロー図である。
【図３ｂ】基地局間でのユーザのアクセス制御ハンドオーバの方法の別の実施形態の概略フロー図である。
【図４】基地局間でのユーザのアクセス制御ハンドオーバの方法の別の実施形態の概略フロー図である。
【図５】基地局間でのユーザのアクセス制御ハンドオーバの方法の別の実施形態の概略フロー図である。
【図５ａ】基地局間でのユーザのアクセス制御ハンドオーバの方法の別の実施形態の概略フロー図である。
【図６】基地局間でのユーザのアクセス制御ハンドオーバの方法の別の実施形態の概略フロー図である。
【図７】Ｘ２プロキシ機能エンティティを介した基地局間の接続を確立する方法の実施形態の概略フロー図である。
【図８】通信システムの実施形態の概略構成図である。
【図８ａ】通信システムの実施形態の別の概略構成図である。
【発明を実施するための形態】
【００１２】
本発明の目的、技術的解決法、及び利点をより明確にするために、本発明について、添付の図面を参照して、以下に更に詳細に説明する。説明される実施形態は、本発明の実施形態の全てではなく、一部にすぎないということは明らかである。当業者によって、本発明の実施形態に基づいて、創造的な活動を行うことなく取得される、全てのその他の実施形態は、本発明の保護範囲内に入る。
【００１３】
本発明の実施形態は、２つの基地局間にＸ２インタフェースが存在するシナリオのみでなく、Ｘ２プロキシ機能エンティティを介して基地局間にリンクが確立されるシナリオにも適用可能である。
【００１４】
ＣＳＧセルは、クローズドアクセスモード及びハイブリッドアクセスモードを含む。クローズドアクセスモードについては、ユーザが現在のＣＳＧセルからクローズドアクセスモードのＣＳＧセルにＸ２インタフェースを介してハンドオーバされた場合、アクセス制御がＵＥに対して実行されないならば、アクセス許可を有さないＵＥがＣＳＧセルにハンドオーバされる可能性があり、従って、アクセス許可を有さないＵＥがネットワークリソースを不正に使用する。ハイブリッドアクセスモードについては、ユーザが現在のＣＳＧセルからハイブリッドアクセスモードのＣＳＧセルにＸ２インタフェースを介してハンドオーバされた場合、アクセス制御がＵＥに対して実行されないならば、ＣＳＧセルはＵＥを識別することができず、従って、ＣＳＧセルに属するＵＥがＣＳＧセルリソースを優先的に使用する能力が保証されない。
【００１５】
前述の解析に基づいて、本発明の実施形態は、２つの基地局を例として取り上げることによって説明され、しかし、方法は、２つの基地局間でのアクセス制御ハンドオーバを含むが、これに限定されず、これについてはここでは再度説明しない。
【００１６】
図１は、基地局間でのユーザのアクセス制御ハンドオーバの方法の一実施形態の概略フローチャートである。この実施形態は、以下を含む。
【００１７】
１０１：第１の基地局及び第２の基地局のうちの一方が、他方の基地局によってサポートされるクローズド加入者グループ識別子ＣＳＧ  ＩＤと、第１の基地局内でのユーザ装置ＵＥのＣＳＧメンバーシップ情報と、を取得する。
【００１８】
１０２：一方の基地局によって取得されたＣＳＧ  ＩＤが、ローカル基地局によってサポートされるＣＳＧ  ＩＤと同じである場合、一方の基地局は、取得されたＵＥのＣＳＧメンバーシップ情報と他方の基地局のアクセスモードとに従って、アクセス制御を実行する。
【００１９】
本発明のこの実施形態では、第１の基地局及び第２の基地局のうちの一方が、他方の基地局によってサポートされるクローズド加入者グループ識別子ＣＳＧ  ＩＤと、第１の基地局内でのユーザ装置ＵＥのＣＳＧメンバーシップ情報とを取得し、一方の基地局によって取得されたＣＳＧ  ＩＤが、ローカル基地局によってサポートされるＣＳＧ  ＩＤと同じである場合、一方の基地局は、取得されたＵＥのＣＳＧメンバーシップ情報と他方の基地局のアクセスモードとに従って、アクセス制御を実行し、アクセス許可を有さないＵＥがＣＳＧセルにハンドオーバされることが防止され、これにより、ＣＳＧセル内でのＵＥの正常なサービスが保証される。ハイブリッドアクセスモードのＣＳＧセルについては、第２の基地局は、隣接する基地局とのＣＳＧメッセージ相互作用（ｉｎｔｅｒａｃｔｉｏｎ）をＸ２インタフェースを介して実行することによって、ＵＥがＣＳＧセルに属するかどうかを判定して、リソースを、ＣＳＧセルに属するＵＥに優先的に割り当て、ＣＳＧセルに属するＵＥが、加入されたリソースを優先的に使用する能力が保証される。本発明の実施形態は、２つの基地局間にＸ２インタフェースが存在するシナリオのみでなく、２つの基地局間にＸ１インタフェースが存在するシナリオ、及び、Ｘ２プロキシ機能エンティティを介してリンクが確立されるシナリオにも適用可能である。
【００２０】
図２は、本発明の一実施形態による基地局の概略構成図である。基地局は、第１の基地局及び第２の基地局のうちの一方であり、
第１の基地局及び第２の基地局のうちの他方の基地局によってサポートされるクローズド加入者グループ識別子ＣＳＧ  ＩＤと、第１の基地局内でのユーザ装置ＵＥのＣＳＧメンバーシップ情報と、を取得するように構成された取得モジュール２０１と、
取得モジュールによって取得されたＣＳＧ  ＩＤが、ローカル基地局によってサポートされるＣＳＧ  ＩＤと同じである場合、取得モジュールによって取得された第１の基地局内でのＵＥのＣＳＧメンバーシップ情報と他方の基地局のアクセスモードとに従って、アクセス制御を実行するように構成された処理モジュール２０２と、を含む。
【００２１】
本発明のこの実施形態では、第１の基地局及び第２の基地局のうちの一方が、他方の基地局によってサポートされるクローズド加入者グループ識別子ＣＳＧ  ＩＤと、第１の基地局内でのユーザ装置ＵＥのＣＳＧメンバーシップ情報とを取得し、一方の基地局によって取得されたＣＳＧ  ＩＤが、ローカル基地局によってサポートされるＣＳＧ  ＩＤと同じである場合、一方の基地局は、取得されたＵＥのＣＳＧメンバーシップ情報と他方の基地局のアクセスモードとに従って、アクセス制御を実行し、アクセス許可を有さないＵＥがＣＳＧセルにハンドオーバされることが防止され、これにより、ＣＳＧセル内でのＵＥの正常なサービスが保証される。ハイブリッドアクセスモードのＣＳＧセルについては、第２の基地局が、隣接する基地局とのＣＳＧメッセージ相互作用をＸ２インタフェースを介して実行することによって、ＵＥがＣＳＧセルに属するかどうかを判定して、リソースをＣＳＧセルに属するＵＥに優先的に割り当て、ＣＳＧセルに属するＵＥが、加入されたリソースを、優先的に使用する能力が保証される。本発明の実施形態は、２つの基地局間にＸ２インタフェースが存在するシナリオのみでなく、２つの基地局間にＸ１インタフェースが存在するシナリオ、及び、Ｘ２プロキシ機能エンティティを介してリンクが確立されるシナリオにも適用可能である。
【００２２】
取得モジュールは、第２の基地局が、第１の基地局によって送信されたハンドオーバ要求メッセージ内で運ばれる第１の基地局によってサポートされるＣＳＧ  ＩＤと第１の基地局内でのＵＥのＣＳＧメンバーシップ情報とを取得するように特に構成され；あるいは、第２の基地局が、第１の基地局によってサポートされ、かつ、第１の基地局によって送信されたＸ２インタフェース確立要求又はＸ２インタフェース確立応答メッセージ内で運ばれるＣＳＧ  ＩＤを取得するように特に構成され、かつ、第２の基地局が、第１の基地局によって送信されたハンドオーバ要求メッセージ内で運ばれる第１の基地局内でのＵＥのＣＳＧメンバーシップ情報を取得するように構成され；あるいは、第１の基地局が、第２の基地局によってサポートされ、かつ、Ｘ２インタフェース確立要求又はＸ２インタフェース確立応答メッセージ内で運ばれ、かつ、第２の基地局によって送信されたＣＳＧ  ＩＤを取得するように特に構成され、かつ、第１の基地局が、ローカル基地局からのローカル基地局内でのＵＥのＣＳＧメンバーシップ情報を取得するように構成される。
【００２３】
更に、取得モジュールは、第１の基地局が、Ｘ２インタフェース確立要求又はＸ２インタフェース確立応答メッセージ内で運ばれ、かつ、第２の基地局によって送信された第２の基地局のアクセスモードを取得するように更に構成される。
【００２４】
更に、図２ａに示すように、基地局は、
処理モジュールが、アクセス制御を正常に実行した場合に、第１の基地局が、第１の基地局内でのＵＥのＣＳＧメンバーシップ情報を、第２の基地局に送信するように構成された送信モジュール２０３と、
取得モジュールが、他方の基地局によってサポートされるクローズド加入者グループ識別子ＣＳＧ  ＩＤと、第１の基地局内でのユーザ装置ＵＥのＣＳＧメンバーシップ情報と、を取得する前に、第１の基地局と第２の基地局とが、Ｘ２プロキシ機能エンティティを介して相互に通信するように、第２の基地局と第１の基地局とが、基地局情報相互作用をＸ２プロキシ機能エンティティを介して実行するように構成される相互作用モジュール２０４と、を含み、ここで、基地局情報は、基地局とＸ２プロキシ機能エンティティとの間のインタフェース関係を少なくとも含む。
【００２５】
図３ａは、基地局間でのユーザのアクセス制御ハンドオーバの方法の別の実施形態の概略フロー図であり、これは以下を含む。
【００２６】
３０１：第１の基地局は、Ｘ２インタフェース確立要求メッセージを第２の基地局に送信し、ここで、メッセージは、第１の基地局によってサポートされるＣＳＧ  ＩＤ情報を運ぶ。
【００２７】
３０２：第２の基地局は、Ｘ２インタフェース確立応答メッセージを第１の基地局に送信し、ここで、メッセージは、第２の基地局によってサポートされるＣＳＧ  ＩＤ情報を運ぶ。
【００２８】
必要に応じて、第２の基地局は、受信されたＣＳＧ  ＩＤが、第２の基地局によってブロードキャストされたＣＳＧ  ＩＤと同じであるかどうかを調べてもよく、受信されたＣＳＧ  ＩＤが、第２の基地局によってブロードキャストされたＣＳＧ  ＩＤと同じではない場合、第２の基地局は、第１の基地局とのＸ２インタフェースを確立することを拒否する。
【００２９】
ステップ３０１及び３０２におけるＸ２インタフェース確立要求メッセージは、Ｘ２インタフェース修正メッセージであってもよい。
【００３０】
ステップ３０１及び３０２におけるＣＳＧ  ＩＤ情報は、セルアクセスモード、又は、ＣＳＧ  ＩＤとセルアクセスモードとの組み合わせであってもよい。
【００３１】
ステップ３０１及び３０２において、第２の基地局は、Ｘ２インタフェース確立要求メッセージを第１の基地局に送信してもよく、また、第２の基地局は、ハンドオーバ確立応答メッセージを第１の基地局に送信してもよい。
【００３２】
３０３：第１の基地局は、ハンドオーバ要求メッセージを第２の基地局にＸ２インタフェースを介して送信し、ここで、ハンドオーバ要求メッセージは、第１の基地局内でのＵＥのＣＳＧメンバーシップ情報を運ぶ。
【００３３】
メンバーシップ情報は、ＵＥがＣＳＧに属するかどうかを識別するために使用される。
【００３４】
３０４：第２の基地局は、第２の基地局のＣＳＧ  ＩＤが、第１の基地局のＣＳＧ  ＩＤと同じであるかどうかを比較する。
【００３５】
必要に応じて、第１の基地局も、第１の基地局によってサポートされるＣＳＧ  ＩＤが、Ｘ２インタフェースメッセージ内で受信された第２の基地局のＣＳＧ  ＩＤと同じであるかどうかを比較してもよい。
【００３６】
３０５ａ：第２の基地局によってサポートされるＣＳＧ  ＩＤが、第１の基地局によってサポートされるＣＳＧ  ＩＤと同じである場合、第１の基地局内でのＵＥのメンバーシップ情報をハンドオーバ要求内で運び、第２の基地局は、第１の基地局から取得された第１の基地局内でのＵＥのＣＳＧメンバーシップ情報が、引き続き有効であると判定し、第１の基地局内でのＵＥのＣＳＧメンバーシップ情報と第２の基地局のアクセスモードとに従って、アクセス制御を実行して、ステップ３０６を実行する。
【００３７】
第２の基地局が、クローズドＣＳＧモードにあり、かつ、第２の基地局によって受信された第１の基地局内でのＵＥのＣＳＧメンバーシップ情報が、ＵＥがＣＳＧセルに属するというものである場合、ＵＥのハンドオーバ要求は受け入れられる。
【００３８】
第２の基地局が、クローズドＣＳＧモードにあり、かつ、第２の基地局によって受信された第１の基地局内でのＵＥのＣＳＧメンバーシップ情報が、ＵＥがＣＳＧセルに属さないというものである場合、ＵＥのハンドオーバ要求は拒否される。
【００３９】
第２の基地局が、ハイブリッドＣＳＧモードにある場合、第２の基地局は、ＵＥのハンドオーバ要求を受け入れ、受信されたＣＳＧメンバーシップ情報に従って、リソースをＵＥに割り当てる。
【００４０】
３０６：アクセスが成功した場合、第２の基地局は、ハンドオーバ・アクノリッジメント・メッセージを第１の基地局に送信して、ステップ３０７を実行し、アクセス制御が失敗した場合、ハンドオーバ失敗メッセージが返され、手順は終了する。
【００４１】
３０７：ＵＥが、第２の基地局に正常にアクセスした後、第２の基地局は、パス・ハンドオーバ要求（ｐａｔｈ  ｈａｎｄｏｖｅｒ  ｒｅｑｕｅｓｔ）をＭＭＥに送信する。
【００４２】
３０８：ＭＭＥは、パス・ハンドオーバ・アクノリッジメント・メッセージを第２の基地局に返す。
【００４３】
ステップ３０６で、同じホーム基地局ゲートウェイ（Ｈｏｍｅ  ＥｎｏｄｅＢ  Ｇａｔｅｗａｙ、ＨｅＮＢ  ＧＷ）内のハンドオーバについては、ＨｅＮＢ  ＧＷが、パス・ハンドオーバ・メッセージを終端させてもよく、パス・ハンドオーバ要求メッセージをＭＭＥに再度転送する必要はなく、すなわち、ステップ３０７で、ＨｅＮＢ  ＧＷが、パス・ハンドオーバ・アクノリッジメント・メッセージを第２の基地局に返す。
【００４４】
Ｘ２インタフェースが２つの基地局間に存在する場合、ＵＥは、２つの基地局間でのハンドオーバを、Ｘ２インタフェースを介して実行してもよい。ハンドオーバ準備段階において、アクセス制御及びリソース割り当てが実行され、しかし、第２の基地局は、ＵＥがアクセスすることを許可されているＣＳＧセルのリストを加入データベースから取得することができず、従って、アクセス許可を有さないＵＥがＣＳＧセルにハンドオーバされ、ネットワークリソースを不正に使用する。ハイブリッドアクセスモードのＣＳＧセルについては、第２の基地局は、リソースを、ＣＳＧセルに属するＵＥに優先的に割り当てることができず、ＣＳＧセル内のＵＥの正常なサービスに影響が及ぼされる。本発明のこの実施形態では、基地局は、Ｘ２インタフェースを介した接続を確立し、ＣＳＧメンバーシップ情報相互作用を実行し、アクセス許可を有さないＵＥがＣＳＧセルにハンドオーバされることが防止され、これにより、ＣＳＧセル内でのＵＥの正常なサービスが保証される。ハイブリッドアクセスモードのＣＳＧセルについては、第２の基地局は、隣接する基地局とのＣＳＧメッセージ相互作用をＸ２インタフェースを介して実行することによって、ＵＥがＣＳＧセルに属するかどうかを判定して、リソースを、ＣＳＧセルに属するＵＥに優先的に割り当て、ＣＳＧセルに属するＵＥが、加入されたリソースを優先的に使用する能力が保証される。
【００４５】
図３ｂは、基地局間でのユーザのアクセス制御ハンドオーバの方法の別の実施形態の概略フロー図である。この実施形態は、図３ａに示す実施形態にほぼ類似している。違いは、以下のステップにある。
【００４６】
３０５ｂ：第２の基地局及び第１の基地局によってサポートされるＣＳＧ  ＩＤが異なる場合、第２の基地局は、アクセス制御要求メッセージをＭＭＥにＨｅＮＢ  ＧＷを介して送信し、ここで、メッセージは、第２の基地局のＣＳＧ  ＩＤとアクセスモードとを運ぶ。
【００４７】
３０５ｂ１：ＭＭＥは、アクセス制御結果を第２の基地局にＨｅＮＢ  ＧＷを介して送信し、ここで、メッセージは、第２の基地局内でのＵＥのＣＳＧメンバーシップ情報を運んでもよい。
【００４８】
３０５ｂ２：第２の基地局が、ＭＭＥによって送信されたアクセス制御アクノリッジメントメッセージを受信した場合、第２の基地局は、アクセス制御が成功したとみなし、ＭＭＥから受信されたＣＳＧメンバーシップ情報に従って、リソースをユーザに割り当て、リソースが許可可能である場合、第２の基地局は、ハンドオーバ・アクノリッジメント・メッセージを第１の基地局に送信して、ステップ３０６を実行し、第２の基地局が、ＭＭＥによって送信されたアクセス制御拒否メッセージを受信した場合、第２の基地局は、ハンドオーバ失敗メッセージを第１の基地局に送信して、手順は終了する。
【００４９】
本発明のこの実施形態では、第２の基地局及び第１の基地局によってサポートされるＣＳＧ  ＩＤが異なる場合、第２の基地局は、アクセス制御要求メッセージをＭＭＥにＨｅＮＢ  ＧＷを介して送信し、ここで、メッセージは、第２の基地局のＣＳＧ  ＩＤとアクセスモードとを運び、第２の基地局が、ＭＭＥによって送信されたアクセス制御アクノリッジメントメッセージを受信した場合、第２の基地局は、アクセス成功メッセージを第１の基地局に送信し、アクセス許可を有さないＵＥがＣＳＧセルにハンドオーバされることが防止され、これにより、ＣＳＧセル内でのＵＥの正常なサービスが保証され、ＣＳＧセルに属するＵＥが、加入されたリソースを優先的に使用する能力が保証される。
【００５０】
図４は、基地局間でのユーザのアクセス制御ハンドオーバの方法の別の実施形態の概略フロー図であり、これは以下を含む。
【００５１】
４０１：第１の基地局は、Ｘ２インタフェース確立要求メッセージを第２の基地局に送信し、ここで、メッセージは、第１の基地局によってサポートされるＣＳＧ  ＩＤとセルアクセスモード情報とを運ぶ。
【００５２】
４０２：第２の基地局は、Ｘ２インタフェース確立応答メッセージを第１の基地局に送信し、ここで、メッセージは、第２の基地局によってサポートされるＣＳＧ  ＩＤとセルアクセスモード情報とを運ぶ。
【００５３】
ステップ４０１及び４０２におけるＸ２インタフェース確立要求メッセージは、Ｘ２インタフェース修正メッセージであってもよい。
【００５４】
ステップ４０１及び４０２において、第２の基地局は、Ｘ２インタフェース確立要求メッセージを第１の基地局に送信してもよく、また、第２の基地局は、ハンドオーバ確立応答メッセージを第１の基地局に送信してもよい。
【００５５】
４０３：第１の基地局は、第１の基地局によってサポートされるＣＳＧ  ＩＤが、第２の基地局のＣＳＧ  ＩＤと同じであるかどうかを比較し、ＣＳＧ  ＩＤが同じである場合、第１の基地局は、第１の基地局内でのＵＥのＣＳＧメンバーシップ情報と第２の基地局のセルアクセスモード情報とに従って、アクセス制御を実行する。
【００５６】
第２の基地局が、クローズドＣＳＧモードにあり、かつ、第１の基地局内でのＵＥのＣＳＧメンバーシップ情報が、ＵＥがＣＳＧセルに属するというものである場合、又は、第２の基地局が、ハイブリッドＣＳＧモードにある場合、ＵＥは、アクセス制御を介して第２の基地局にハンドオーバされる。
【００５７】
第２の基地局が、クローズドＣＳＧモードにあり、かつ、第１の基地局内でのＵＥのＣＳＧメンバーシップ情報が、ＵＥがＣＳＧセルに属さないというものである場合、ＵＥはアクセス制御に失敗し、第１の基地局は、ＵＥを第２の基地局にハンドオーバしない。
【００５８】
第２の基地局が、ハイブリッドＣＳＧモードにある場合、第１の基地局は、ＵＥのＣＳＧメンバーシップ情報をハンドオーバ要求内に運び込み、ハンドオーバ要求を第２の基地局に送信する。
【００５９】
４０４：ステップ４０３でアクセス制御が成功した場合、第１の基地局は、ハンドオーバ要求メッセージを第２の基地局に送信し、ここで、要求メッセージは、第１の基地局によってサポートされるＣＳＧメンバーシップ情報を運ぶ。
【００６０】
ステップ４０４でＣＳＧ  ＩＤが同じである場合、第２の基地局は、アクセス制御を実行しない。
【００６１】
４０５：第２の基地局は、受信されたＣＳＧメンバーシップ情報に従って、リソースをＵＥに割り当て、リソースが許可可能である場合、ハンドオーバ・アクノリッジメント・メッセージを第１の基地局に送信して、ステップ４０６を実行する。
【００６２】
４０６：ＵＥが第２の基地局に正常にアクセスした後、第２の基地局は、パス・ハンドオーバ要求をＭＭＥに送信する。
【００６３】
４０７：ＭＭＥは、パス・ハンドオーバ・アクノリッジメント・メッセージを第２の基地局に返す。
【００６４】
ステップ４０６で、同じＨｅＮＢ  ＧＷ内のハンドオーバについては、ＨｅＮＢ  ＧＷが、パス・ハンドオーバ・メッセージを終端させてもよく、パス・ハンドオーバ要求メッセージをＭＭＥに再度送信せず、ステップ４０７で、ＨｅＮＢ  ＧＷが、パス・ハンドオーバ・アクノリッジメント・メッセージを第２の基地局に返す。
【００６５】
本発明のこの実施形態では、基地局は、Ｘ２インタフェースを介した接続を確立し、ＣＳＧメンバーシップ情報相互作用を実行し、アクセス許可を有さないＵＥがＣＳＧセルにハンドオーバされることが防止され、これにより、ＣＳＧセル内でのＵＥの正常なサービスが保証される。ハイブリッドアクセスモードのＣＳＧセルについては、第１の基地局は、隣接する基地局とのＣＳＧメッセージ相互作用をＸ２インタフェースを介して実行することによって、ＵＥがＣＳＧセルに属するかどうかを判定して、リソースを、ＣＳＧセルに属するＵＥに優先的に割り当て、ＣＳＧセルに属するＵＥが、加入されたリソースを優先的に使用する能力が保証される。
【００６６】
図５は、基地局間でのユーザのアクセス制御ハンドオーバの方法の別の実施形態の概略フロー図である。この実施形態は、図３ａに示す実施形態に類似している。違いは、第１の基地局及び第２の基地局がＸ２インタフェースを確立又は修正する際に、第１の基地局及び第２の基地局は、第１の基地局及び第２の基地局によってそれぞれサポートされるＣＳＧ  ＩＤの相互作用を実行しないということにある。第１の基地局は、ハンドオーバ要求メッセージをＸ２インタフェースを介して第２の基地局に送信し、ここで、メッセージは、第１の基地局によってサポートされるＣＳＧ  ＩＤと第１の基地局内でのユーザのメンバーシップ情報とを運ぶ。
【００６７】
図５ａは、基地局間でのユーザのアクセス制御ハンドオーバの方法の別の実施形態の概略フロー図である。この実施形態は、図３ｂに示す実施形態に類似している。違いは、第１の基地局及び第２の基地局がＸ２インタフェースを確立又は修正する際に、第１の基地局及び第２の基地局は、第１の基地局及び第２の基地局によってそれぞれサポートされるＣＳＧ  ＩＤの相互作用を実行しないということにある。第１の基地局は、ハンドオーバ要求メッセージをＸ２インタフェースを介して第２の基地局に送信し、ここで、メッセージは、第１の基地局によってサポートされるＣＳＧ  ＩＤと、第１の基地局内でのユーザのメンバーシップ情報とを運ぶ。
【００６８】
図６は、基地局間でのユーザのアクセス制御ハンドオーバの方法の別の実施形態の概略フロー図である。第１の基地局及び第２の基地局がＸ２インタフェースを確立又は修正する際に、第１の基地局及び第２の基地局は、第１の基地局及び第２の基地局によってそれぞれサポートされるＣＳＧ  ＩＤの相互作用を実行しない。この実施形態は、以下を含む。
【００６９】
６０１：第１の基地局は、ハンドオーバ要求メッセージをＸ２インタフェースを介して第２の基地局に送信し、ここで、ハンドオーバ要求メッセージは、第１の基地局によってサポートされるＣＳＧ  ＩＤを運ばない。
【００７０】
６０２：ハンドオーバ要求メッセージを受信した後、第２の基地局は、アクセス制御要求メッセージをＨｅＮＢ  ＧＷを介してモビリティ管理エンティティ（Ｍｏｂｉｌｉｔｙ  Ｍａｎａｇｅｍｅｎｔ  Ｅｎｔｉｔｙ、ＭＭＥ）に送信し、ここで、メッセージは、第２の基地局によってサポートされるＣＳＧ  ＩＤと、第２の基地局のアクセスモードとを運ぶ。
【００７１】
６０３：ＭＭＥは、アクセス制御結果メッセージをＨｅＮＢ  ＧＷを介して第２の基地局に送信し、ここで、メッセージは、第２の基地局内でのユーザのＣＳＧメンバーシップ情報を運んでもよい。
【００７２】
６０４：第２の基地局が、ＭＭＥによって送信されたアクセス制御アクノリッジメントメッセージを受信した場合、第２の基地局は、アクセス成功メッセージを第１の基地局に送信して、ステップ６０５を実行し、第２の基地局が、ＭＭＥによって送信されたアクセス制御拒否メッセージを受信した場合、第２の基地局は、アクセス失敗メッセージを第１の基地局に送信して、手順は終了する。
【００７３】
６０５：ユーザが、第２の基地局に正常にアクセスした後、第２の基地局は、パス・ハンドオーバ要求をＭＭＥに送信する。
【００７４】
６０６：ＭＭＥは、パス・ハンドオーバ・アクノリッジメント・メッセージを第２の基地局に返す。
【００７５】
ステップ６０５で、同じＨｅＮＢ  ＧＷ内のハンドオーバについては、ＨｅＮＢ  ＧＷが、パス・ハンドオーバ・メッセージを自動的に終端させてもよく、パス・ハンドオーバ要求メッセージをＭＭＥに再度転送せず、ステップ６０６で、ＨｅＮＢ  ＧＷが、パス・ハンドオーバ・アクノリッジメント・メッセージを第２の基地局に返す。
【００７６】
本発明のこの実施形態では、第２の基地局は、アクセス制御要求メッセージをＨｅＮＢ  ＧＷを介してＭＭＥに送信し、ここで、メッセージは、第２の基地局のＣＳＧ  ＩＤとアクセスモードとを運び、第２の基地局が、ＭＭＥによって送信されたアクセス制御アクノリッジメントメッセージを受信した場合、第２の基地局は、アクセス成功メッセージを第１の基地局に送信し、アクセス許可を有さないＵＥがＣＳＧセルにハンドオーバされることが防止され、これにより、ＣＳＧセル内でのＵＥの正常なサービスが保証され、ＣＳＧセルに属するＵＥが、加入されたリソースを優先的に使用する能力が保証される。
【００７７】
図７は、本発明の一実施形態による基地局間でのユーザのハンドオーバの別の方法の概略フロー図である。隣接する基地局間に、直接のＸ２インタフェースは存在せず、基地局は、少なくとも１つのＸ２プロキシ機能エンティティを介して接続される。このシナリオにおけるアクセス制御は、前述の実施形態に類似している。本発明のこの実施形態は、２つの基地局がＸ２プロキシ機能エンティティＨｅＮＢ  ＧＷを介した接続を確立するという例を取り上げることによって、かつ、図３ａに示す実施形態を参照することによって、説明される。この実施形態は、以下を含む。
【００７８】
７０１：第１の基地局は、Ｘ２インタフェース確立要求メッセージをＨｅＮＢ  ＧＷに送信する。
【００７９】
７０２：ＨｅＮＢ  ＧＷは、Ｘ２インタフェース確立応答メッセージを第１の基地局に送信し、ここで、メッセージは、Ｘ２プロキシ機能エンティティによって第１の基地局以外の別の基地局とすでに確立されているＸ２インタフェースに関する情報を運ぶ。
【００８０】
７０３：第２の基地局は、Ｘ２インタフェース確立要求メッセージをＨｅＮＢ  ＧＷに送信する。
【００８１】
７０４：ＨｅＮＢ  ＧＷは、Ｘ２インタフェース確立応答メッセージを第２の基地局に送信し、ここで、Ｘ２インタフェース確立応答メッセージは、ＨｅＮＢ  ＧＷとのＸ２インタフェースを有する基地局に関する情報を含んでもよく、基地局情報は、第１の基地局と別の基地局とＨｅＮＢ  ＧＷとの間のＸ２インタフェース関係、及び、セルによってサポートされるＣＳＧ  ＩＤを少なくとも含む。
【００８２】
ステップ７０１〜７０４において、Ｘ２インタフェース確立メッセージは、Ｘ２インタフェース修正メッセージであってもよい。
【００８３】
７０５：ＨｅＮＢ  ＧＷは、Ｘ２インタフェース確立修正メッセージを第１の基地局に送信してもよく、ここで、メッセージは、ＨｅＮＢ  ＧＷとすでにＸ２インタフェースを確立している基地局に関する情報を運び、基地局情報は、基地局とＸ２プロキシ機能エンティティとの間のインタフェース関係、及び、セルによってサポートされるＣＳＧ  ＩＤを少なくとも含む。ＨｅＮＢ  ＧＷとすでにＸ２インタフェースを確立している基地局は、第２の基地局及び第１の基地局を含む。
【００８４】
７０６：第１の基地局は、ハンドオーバ要求メッセージをＨｅＮＢ  ＧＷに送信し、ここで、要求メッセージは、第２の基地局の識別子と、第１の基地局内でのＵＥのＣＳＧメンバーシップ情報とを運ぶ。
【００８５】
７０７：ＨｅＮＢ  ＧＷは、ハンドオーバ要求メッセージを第２の基地局に転送し、ここで、要求メッセージは、第２の基地局の識別子と、第１の基地局内でのＵＥのＣＳＧメンバーシップ情報とを運ぶ。
【００８６】
ステップ７０７とステップ７０８との間のステップは、図３ａに示す実施形態におけるステップ３０４及び３０５に類似している。第２の基地局は、第２の基地局のＣＳＧ  ＩＤが、第１の基地局のＣＳＧ  ＩＤと同じであるかどうかを比較する。必要に応じて、第１の基地局も、第１の基地局によってサポートされるＣＳＧ  ＩＤが、Ｘ２インタフェースメッセージ内で受信された第２の基地局のＣＳＧ  ＩＤと同じであるかどうかを比較してもよく、ＣＳＧ  ＩＤが同じである場合、ハンドオーバ要求は、第１の基地局内でのＵＥのメンバーシップ情報を運ぶ。第２の基地局及び第１の基地局によってサポートされるＣＳＧ  ＩＤが同じである場合、第２の基地局は、第１の基地局から取得された第１の基地局内でのＵＥのＣＳＧメンバーシップ情報が引き続き有効であると判定し、第２の基地局は、第１の基地局内でのＵＥのＣＳＧメンバーシップ情報と第２の基地局のアクセスモードとに従って、アクセス制御を実行する。第２の基地局が、クローズドＣＳＧモードにあり、かつ、第２の基地局によって受信された第１の基地局内でのＵＥのＣＳＧメンバーシップ情報が、ＵＥがＣＳＧセルに属するというものである場合、ＵＥのハンドオーバ要求は受け入れられる。第２の基地局が、クローズドＣＳＧモードにあり、かつ、第２の基地局によって受信された第１の基地局内でのＵＥのＣＳＧメンバーシップ情報が、ＵＥがＣＳＧセルに属さないというものである場合、ＵＥのハンドオーバ要求は拒否される。第２の基地局が、ハイブリッドＣＳＧモードにある場合、第２の基地局は、ＵＥのハンドオーバ要求を受け入れ、受信されたＣＳＧメンバーシップ情報に従って、リソースをＵＥに割り当てる。
【００８７】
７０８：第２の基地局は、ハンドオーバ応答メッセージをＨｅＮＢ  ＧＷに送信する。
【００８８】
ハンドオーバ応答メッセージは、第２の基地局へのアクセスが可能であることをＵＥに通知するために使用される。
【００８９】
７０９：ＨｅＮＢ  ＧＷは、ハンドオーバ応答メッセージを第１の基地局に転送する。
【００９０】
７１０：ＵＥが、第２の基地局にアクセスした後、第２の基地局は、パス・ハンドオーバ要求をＭＭＥに送信する。
【００９１】
７１１：ＭＭＥは、パス・ハンドオーバ・アクノリッジメント・メッセージを第２の基地局に返す。
【００９２】
ステップ７１０で、同じＨｅＮＢ  ＧＷ内のハンドオーバについては、ＨｅＮＢ  ＧＷが、パス・ハンドオーバ・メッセージを自動的に終端させてもよく、ステップ７１１で、ＨｅＮＢ  ＧＷが、パス・ハンドオーバ・アクノリッジメント・メッセージを第２の基地局に返す。
【００９３】
図７に示す実施形態は、隣接する基地局間にＸ２インタフェースが存在しないシナリオのみを説明する。このシナリオにおけるアクセス制御は、前述の実施形態に類似しており、ここでは再度詳細に説明しない。図７に示す実施形態で、Ｘ２プロキシ機能エンティティは、ＨｅＮＢ  ＧＷ又は基地局であってもよい。Ｘ２プロキシ機能エンティティは、マスタ基地局又は共通基地局であってもよい。この方法は、少なくとも２つの基地局が複数のＸ２プロキシ機能エンティティを介して接続されたシナリオにも適用可能である。
【００９４】
隣接する基地局間にＸ２インタフェースが存在するシナリオについて、本発明の実施形態は、２つの隣接する基地局の例を取り上げることによってのみ説明され、しかし、本発明は、２つの基地局間でのアクセス制御ハンドオーバを含むが、これに限定されない。
【００９５】
隣接する基地局間にＸ２インタフェースが存在しないシナリオについて、本発明の実施形態は、Ｘ２プロキシ機能エンティティを介して接続が確立されるという例を取り上げることによって説明され、しかし、本発明は、Ｘ２プロキシ機能エンティティを介して接続を確立することを含むが、これに限定されない。隣接する基地局は、２つの隣接する基地局間でのハンドオーバも含むが、これに限定されない。
【００９６】
図８は、本発明による通信システムの概略構成図であり、これは、
第１の基地局８０１と、第２の基地局８０２と、を含み、
第１の基地局及び第２の基地局のうちの一方が、他方の基地局によってサポートされるクローズド加入者グループ識別子ＣＳＧ  ＩＤと、第１の基地局内でのユーザ装置ＵＥのＣＳＧメンバーシップ情報とを取得し、取得されたＣＳＧ  ＩＤが、ローカル基地局によってサポートされるＣＳＧ  ＩＤと同じである場合、一方の基地局は、取得されたＵＥのＣＳＧメンバーシップ情報と他方の基地局のアクセスモードとに従って、アクセス制御を実行する。
【００９７】
更に、図８ａに示すように、この通信システムは、
Ｘ２プロキシ機能エンティティ８０３を更に含み、
第１の基地局及び第２の基地局のうちの一方が、他方の基地局によってサポートされるＣＳＧ  ＩＤと他方の基地局内でのＵＥのＣＳＧメンバーシップ情報とを取得する前に、２つの基地局が、基地局情報相互作用をＸ２プロキシ機能エンティティを介して実行し、これにより、２つの基地局が、Ｘ２プロキシ機能エンティティを介して相互に通信するようになり、基地局情報は、基地局とＸ２プロキシ機能エンティティとの間のインタフェース関係を少なくとも含む。
【００９８】
本発明のこの実施形態では、第１の基地局及び第２の基地局のうちの一方が、他方の基地局によってサポートされるクローズド加入者グループ識別子ＣＳＧ  ＩＤと、第１の基地局内でのユーザ装置ＵＥのＣＳＧメンバーシップ情報とを取得し、一方の基地局によって取得されたＣＳＧ  ＩＤが、ローカル基地局によってサポートされるＣＳＧ  ＩＤと同じである場合、一方の基地局は、取得されたＵＥのＣＳＧメンバーシップ情報と他方の基地局のアクセスモードとに従って、アクセス制御を実行し、アクセス許可を有さないＵＥがＣＳＧセルにハンドオーバされることが防止され、これにより、ＣＳＧセル内でのＵＥの正常なサービスが保証される。ハイブリッドアクセスモードのＣＳＧセルについては、第２の基地局は、隣接する基地局とのＣＳＧメッセージ相互作用をＸ２インタフェースを介して実行することによって、ＵＥがＣＳＧセルに属するかどうかを判定して、リソースをＣＳＧセルに属するＵＥに優先的に割り当て、ＣＳＧセルに属するＵＥが、加入されたリソースを優先的に使用する能力が保証される。本発明の実施形態は、２つの基地局間にＸ２インタフェースが存在するシナリオのみでなく、２つの基地局間にＸ１インタフェースが存在するシナリオ、及び、Ｘ２プロキシ機能エンティティを介してリンクが確立されるシナリオにも適用可能である。
【００９９】
実施形態の前述の説明を介して、本発明は、必要な汎用ハードウェアプラットフォーム上のハードウェアによって実施されてもよく、もちろん、ハードウェアによって実施されてもよく、しかし、ほとんどの場合、本発明は、好ましくは、前者の方法を介して実施される、ということが、当業者によって明確に理解されるであろう。そのような理解に基づいて、本発明の技術的解決法、又は、従来技術に寄与する部分は、ソフトウェア製品の形態で本質的に実施されてもよい。コンピュータソフトウェア製品は、コンピュータ装置（パーソナルコンピュータ、サーバ、又はネットワーク装置など）に、本発明の実施形態による方法を実行させる、複数の命令を含む、記憶媒体内に記憶されてもよい。
【０１００】
本発明について、本発明のいくつかの例示的実施形態を参照して示し、説明したが、当業者は、形態、及び詳細における、様々な変更が、本発明の精神及び範囲から逸脱することなく、本発明に対して行われてもよいということを理解するであろう。
【０１０１】
本出願は、２０１０年３月２３日に中国専利局に出願された、「ＭＥＴＨＯＤ，ＡＰＰＡＲＡＴＵＳ  ＡＮＤ  ＳＹＳＴＥＭ  ＦＯＲ  ＡＣＣＥＳＳ  ＣＯＮＴＲＯＬ  ＨＡＮＤＯＶＥＲ  ＯＦ  Ａ  ＵＳＥＲ  ＢＥＴＷＥＥＮ  ＢＡＳＥ  ＳＴＡＴＩＯＮＳ（基地局間でのユーザのアクセス制御ハンドオーバの方法、装置、及びシステム）と題された、中国特許出願第２０１０１０１３４３６８．９号の優先権を主張するものであり、当該出願の内容はその全体が参照によって本明細書中に全て援用される。
【図１】
0005383948.tif 000002
【図２】
0005383948.tif 000003
【図２ａ】
0005383948.tif 000004
【図３ａ】
0005383948.tif 000005
【図３ｂ】
0005383948.tif 000006
【図４】
0005383948.tif 000007
【図５】
0005383948.tif 000008
【図５ａ】
0005383948.tif 000009
【図６】
0005383948.tif 000010
【図７】
0005383948.tif 000011
【図８】
0005383948.tif 000012
【図８ａ】
0005383948.tif 000013